(57)【特許請求の範囲】
【請求項１】
重ね合わせた二枚のシート間に複数の収納部が区切って設けられ、各収納部内に蓄熱材を収納した蓄熱材収納部材と、前記蓄熱材収納部材の両面に重なる状態でこの蓄熱材収納部材を覆うように蓄熱材収納部材に縫着された外装シートからなり、前記蓄熱材収納部材の収納部は、重ね合わせた二枚のシートを縫い糸で枠状に縫合することにより、この縫い糸で囲まれた部分によって形成され、かつ、各収納部は互いに隣接する収納部がそれぞれ間隔をあけて独立する配置となり、前記蓄熱材収納部材の両面に重なる外装シートは、各収納部を形成する縫い糸と重ならない位置で各収納部を囲むように施した縫い糸で蓄熱材収納部材と縫着されている温熱治療具。
【請求項２】
上記蓄熱材収納部材を形成する二枚のシートと蓄熱材収納部材を覆う外装シートにそれぞれシート状布帛を用い、前記外装シートを蓄熱材収納部材に縫着する縫い糸は、隣接する収納部の縫い糸間の位置で、二枚のシートと二枚の外装シートを重なり状に縫着している請求項１に記載の温熱治療具。
【発明の詳細な説明】
【技術分野】
【０００１】
この発明は、人体の適用部位に対して温熱療法等を施すために用いる温熱治療具に関する。
【背景技術】
【０００２】
例えば、腰痛、肩こり、筋肉痛、手足の冷え、神経痛、リュウマチ等の整形外科領域における疾患は、主に血行不良に起因するものであり、このような疾病の治療として温熱治療が広く採用されている。
【０００３】
上記のような温熱療法を効果的に行うことができるように、蓄熱材を使用した温熱治療具が用いられている。
【０００４】
従来の温熱治療具は、帆布を用いた二枚のシート状布帛を重ね合わせ、前記二枚のシート状布帛の中間部をミシンによる縫い糸で縦横に縫着することにより、二枚のシート状布帛間に複数の区切られた収納部を形成し、各収納部に口部から顆粒状の蓄熱材を充填した状態で二枚のシート状布帛の周縁部を縫い糸で縫着し、これによって各収納部の口部を閉じた構造になっている。
【０００５】
このような温熱治療具は、人体の使用する部位に対応する形状と大きさに縫製され、温熱治療に使用するには、先ず、温熱治療具の全体を温湯に浸漬することによって蓄熱材を加温し、次に、温熱治療具を温湯から取り出して外面の水分を拭き取り、この温熱治療具を人体の患部に重ねたり巻き付けるようにして取付け、蓄熱材の放熱によって患部を加温するものである。
【発明の開示】
【発明が解決しようとする課題】
【０００６】
ところで、上記従来の温熱治療具は、二枚のシート状布帛に織目が細かくて強度のある帆布を用いているため、シート状布帛の織目から粉粒状の蓄熱材が外部にこぼれ出ることはないが、隣接する各収納部は単に一条の縫い糸で仕切られた構造になっているので、縫い糸がシート状布帛を貫通する部分にどうしても隙間が生じ、この隙間が収納部の内部と通じることになるため、温湯に浸漬したときに蓄熱材の細かな粒子や溶け出したものが、前記隙間から外部に漏れだすことになり、このため、使用の頻度と比例して蓄熱材の量が減少し、その分使用できる回数が短いという問題がある。
【０００７】
そこで、この発明の課題は、収納部に充填した蓄熱材の外部への漏れ出しの発生を防ぐことができ、長期の使用が可能になる温熱治療具を提供することにある。
【課題を解決するための手段】
【０００８】
上記のような課題を解決するため、この発明は、重ね合わせた二枚のシート間に複数の収納部が区切って設けられ、各収納部内に蓄熱材を収納した蓄熱材収納部材と、前記蓄熱材収納部材の両面に重なる状態でこの蓄熱材収納部材を覆うように蓄熱材収納部材に縫着された外装シートからなり、前記蓄熱材収納部材の収納部は、重ね合わせた二枚のシートを縫い糸で枠状に縫合することにより、この縫い糸で囲まれた部分によって形成され、かつ、各収納部は互いに隣接する収納部がそれぞれ間隔をあけて独立する配置となり、前記蓄熱材収納部材の両面に重なる外装シートは、各収納部を形成する縫い糸と重ならない位置で各収納部を囲むように施した縫い糸で蓄熱材収納部材と縫着されている構成を採用したものである。
【０００９】
上記蓄熱材収納部材を形成する二枚のシートと蓄熱材収納部材を覆う外装シートにそれぞれシート状布帛を用い、前記外装シートを蓄熱材収納部材に縫着する縫い糸は、隣接する収納部の縫い糸間の位置で、二枚のシートと二枚の外装シートを重なり状に縫着している構造とすることができる。
【００１０】
ここで、蓄熱材収納部材を形成する二枚のシートと外装シートは、織目が細かくて強度のある帆布等のようなシート状布帛を用い、人体の装着する患部に対応する大きさと形状に裁断され、蓄熱材収納部材における収納部は、重ね合わせた二枚のシートに対して縦と横の縫い糸で縫着することで一端が開口となる角形に形成され、その内部に所定量の蓄熱材を充填した状態で口部を縫い糸で閉じるようにする。
【００１１】
上記蓄熱材としては、ベントナイトやトルマリン、シリカゲル、砂等を使用目的に応じて用いることができ、この蓄熱材を収納する上記各収納部は、それぞれ直線状となる独自の縫い糸によって形成されることで、隣接する収納部の隣接辺となる縫い糸は、例えば、１ｃｍ程度の間隔（隙間）をおいて平行し、従って、各収納部は縦と横に並んだ配置となる。
【００１２】
上記外装シートは、蓄熱材収納部材よりも少し大きめの平面的な大きさを有し、蓄熱材収納部材の両面に重ねた状態で、各収納部を囲むように施した縫い糸によって蓄熱材収納部材と縫着され、これによって各収納部の両面はシートの二重重ねの構造になる。
【発明の効果】
【００１３】
この発明によると、蓄熱材収納部材の収納部が、重ね合わせた二枚のシートを縫い糸で枠状に縫合することにより、この縫い糸で囲まれた部分によって形成されてそれぞれ間隔をあけて独立する配置となり、前記蓄熱材収納部材の両面に重なる外装シートは、各収納部を形成する縫い糸と重ならない位置で各収納部を囲むように施した縫い糸で蓄熱材収納部材と縫着されているので、各収納部の周囲は、シートの縫い糸と外装シートの縫着縫い糸によって二重構造に囲まれ、シートを縫着して収納部を形成する縫い糸の貫通部分の隙間から蓄熱材収納部材の外側に蓄熱材の溶け出したものや細かな粒子が漏れようとしても、これを外装シートとの重なり空間に収納でき、これが外装シートの外部に漏れるには外装シートの縫着縫い糸による隙間を再度通らなければならないので、外部への漏れに対する関門が二箇所になり、これによって、収納した蓄熱材の外部への漏れの発生を防ぐ機能が向上し、蓄熱材の減少を防ぐことで長期にわたる使用が可能になる。
【発明を実施するための最良の形態】
【００１４】
以下、この発明の実施の形態を添付図面に基づいて説明する。
【００１５】
図示のように、温熱治療具１は、重ね合わせた二枚のシート２と２間に複数の収納部３が区切って設けられ、各収納部３内に蓄熱材４を収納した蓄熱材収納部材５と、蓄熱材収納部材５の両面に重なる状態でこの蓄熱材収納部材５を覆うように蓄熱材収納部材５に縫着された二枚の外装シート６と６によって形成され、前記シート２、２と外装シート６、６には、織目が細かくて強度のある帆布のようなシート状布帛を用い、蓄熱材４の薬効成分が外部に染み出すのを許容することができるようになっている。
【００１６】
上記蓄熱材収納部材５は、人体の装着する患部に対応する大きさの矩形状に裁断した二枚のシート２と２を重ねるか、もしくは長い一枚のシートを二つ折りにして重ね合わせ、この二枚のシート２と２をミシンによって縦方向の縫い糸７ａと横方向の縫い糸７ｂで枠状に縫合することにより、この縫い糸７ａと７ｂで囲まれた部分によって収納部３を形成し、各収納部３内に蓄熱材４を収納した構造になっている。
【００１７】
上記蓄熱材収納部材５における収納部３は、先ず、重ね合わせた二枚のシート２と２に対して、シート２と２の両側縁を除く位置を縦方向と横方向の縫い糸７ａと７ｂで縫着することで、シート２と２の両側縁に位置する一端が開口となる角形の袋に形成され、次に、その内部に所定量の蓄熱材４を充填した状態で口部を縦方向の縫い糸７ａで閉じるようにする。ここで、図１の平面図において、蓄熱材収納部材５の上下の方向を縦方向、幅方向を横方向とする。
【００１８】
この各収納部３は、互いに隣接する収納部３がそれぞれ間隔をあけて独立する配置となるよう、縦方向の縫い糸７ａと横方向の縫い糸７ｂは、各収納部３ごとに別となり、隣接する収納部３の縦方向の縫い糸７ａ同士、横方向の縫い糸７ｂ同士は互いに１ｃｍ程度の間隔をおいて平行することになり、このような縦方向と横方向の縫い糸７ａ、７ｂによって、収納部３は、図１のように、両側横方向に二列で縦方向に多段の縦横に並んだ配置になっている
【００１９】
上記外装シート６、６は、シート２、２よりも平面的に一回り大きなものを用い、周辺部を内側に折り返した状態で蓄熱材収納部材５の両面に重ね、この外装シート６、６は、各収納部３を形成する縫い糸７ａ、７ｂと重ならない位置で各収納部３を囲むように施した縦方向の縫い糸８ａと横方向の縫い糸８ｂで蓄熱材収納部材５と縫着され、蓄熱材収納部材５を両面から隠蔽している。
【００２０】
ここで、外装シート６、６を蓄熱材収納部材５に縫着する縫い糸８ａ、８ｂにおいて、外装シート６、６の中間部に施す縫い糸８ａ、８ｂは、シート２、２に収納部３を形成する縫い糸７ａ、７ｂ間の位置を縫着し、外装シート６、６の上下縁や両側縁における縫い糸８ａ、８ｂは、縦方向と横方向の縫い糸７ａ、７ｂよりも外側の位置で蓄熱材収納部材５と縫着するか、図２と図３のように、外装シート６、６同士を直接縫着する。
【００２１】
従って、蓄熱材収納部材５の収納部３は、シート２、２を縫着する枠状の縫い糸７ａ、７ｂと、外装シート６、６を蓄熱材収納部材５に縫着する枠状の縫い糸８ａ、８ｂで内外二重に囲まれることになり、また、各収納部３の両面は、シート２と外装シート６の二重構造になる。
【００２２】
上記蓄熱材４としては、ベントナイトやトルマリン、シリカゲル、砂、ジェル、ゲル等を例示することができ。
【００２３】
なお、上記温熱治療具１は、図示の場合、全体形状を矩形状に形成し、周辺の必要な部分に紐の接続環９を設けたものを示したが、例えば、上縁部に弧状の抉り部分を設けて背中や胸部に使用するものや、足や腕に巻着する横長のバンド状に形成したもの等、人体の装着する患部に対応する大きさと形状に形成することができる。
【００２４】
この発明の温熱治療具１は、上記のような構成であり、温熱治療に使用するには、先ず、温熱治療具１の全体を温湯に浸漬することによって蓄熱材４を加温し、次に、温熱治療具１を温湯から取り出して外面の水分を拭き取り、この温熱治療具１を人体の患部に重ねたり巻き付けるようにして取付け、蓄熱材４の放熱によって患部を加温するものである。
【００２５】
上記温熱治療具１は、収納部３の両面がシート状布帛を用いたシート２と外装シート６の二重構造になっているので、薬効効果のある蓄熱材４を用いた場合、シート２と外装シート６から外部に染み出した薬効成分を患部に対して有効に作用させることができる。
【００２６】
上記温熱治療具１は、温湯に浸漬することによって蓄熱材４を加温するため、温湯から引き上げた際に、蓄熱材４の溶け出したものや細かな粒子が、シート２、２を縫着して収納部３を形成する縫い糸７ａ、７ｂの貫通部分の隙間から蓄熱材収納部材５の外側に漏れるようなことがあっても、これを外装シート６との重なり空間に収納でき、これが外装シート６の外部に漏れるには再度外装シート６、６の縫着縫い糸８ａ、８ｂによる隙間を通らなければならないので、外部への漏れに対する関門が二箇所になり、これによって、収納した蓄熱材４の外部への漏れの発生を防ぐ機能が向上し、蓄熱材４の減少を防ぐことで温熱治療具１の長期にわたる使用が可能になる。
【００２７】
なお、温熱治療具１は、その使用時にビニル袋に入れたりタオルで覆って使うようにしてもよく、また、蓄熱材４の材質を選ぶことにより、電子レンジで加温するようにすることもでき、更に、蓄熱材４を重量物とすることにより、温熱治療具１と全く同一構造でリハビリのウエイトとしても使用することができる。
【図面の簡単な説明】
【００２８】
【図１】この発明に係る温熱治療具の構成部材を順番に切り欠いた平面図
【図２】図１の矢印II−IIに沿った拡大断面図
【図３】図１の矢印III−IIIに沿った拡大断面図
【符号の説明】
【００２９】
１          温熱治療具
２          シート
３          収納部
４          蓄熱材
５          蓄熱材収納部材
６          外装シート
７ａ、７ｂ  縫い糸
８ａ、８ｂ  縫い糸
９          接続環
【図１】
0005108537.tif 000002
【図２】
0005108537.tif 000003
【図３】
0005108537.tif 000004